(57)【特許請求の範囲】
【請求項１】
互いのカード搬送方向が異なる第１および第２のカード搬送路を備え、これら第１および第２のカード搬送路を、カードを厚み方向に挟持する駆動側搬送手段とピンチローラとによってそれぞれ構成し、前記第１および第２のカード搬送路のピンチローラを互い違いにそれぞれの駆動側搬送手段の駆動ローラ側に対接させることにより、前記第１のカード搬送路内のカードを前記第２のカード搬送路に切り替えるカード搬送路切替装置であって、前記第２のカード搬送路のピンチローラを駆動ローラに対して前記第２のカード搬送路内のカードの搬送方向においてずらして位置付けたことを特徴とするカード搬送路切替装置。
【請求項２】
請求項１に記載されたカード搬送路切替装置において、前記第１のカード搬送路にカードの幅方向をガイドするガイド部を設けるとともに、前記第２のカード搬送路を前記第１のカード搬送路に対してカードの厚み方向にずらして位置付けたことを特徴とするカード搬送切替装置。
【請求項３】
請求項２に記載されたカード搬送路切替装置において、前記第１および第２のカード搬送路の少なくともいずれか一方にカードの厚み方向を支持する支持壁を設け、この支持壁に、カードを前記第２のカード搬送路に導くガイド部を設けたことを特徴とするカード搬送切替装置。
【発明の詳細な説明】
【０００１】
【発明の属する技術分野】
本発明は、磁気カードやＩＣカードを搬送するカード搬送装置において、カードを第１のカード搬送路から第２のカード搬送路に導くカード搬送路切替装置に関する。
【０００２】
【従来の技術】
一般に、この種のカード搬送路切替装置は、互いのカード搬送方向が異なる２つのカード搬送路を備え、これら２つのカード搬送路は、カードを厚み方向に挟持する駆動側搬送手段とピンチローラとによってそれぞれ構成されている。そして、両ピンチローラを互い違いにそれぞれの駆動側搬送手段の駆動ローラ側に対接させることにより、第１のカード搬送路内のカードを第２のカード搬送路に切り替えていた。
【０００３】
【発明が解決しようとする課題】
しかしながら、上述した従来のカード搬送路切替装置においては、第２のカード搬送路にカードを切り替えるために、第１のカード搬送路のピンチローラを駆動ローラ側から離間させても、駆動ローラ側にカードが接しているために、円滑に第２のカード搬送路にカードが導かれないという問題があった。
【０００４】
本発明は上記した従来の問題に鑑みなされたものであり、その目的とするところは、切替不良を防止したカード搬送路切替装置を提供することにある。
【０００５】
【課題を解決するための手段】
この目的を達成するために、請求項１に係る発明は、互いのカード搬送方向が異なる第１および第２のカード搬送路を備え、これら第１および第２のカード搬送路を、カードを厚み方向に挟持する駆動側搬送手段とピンチローラとによってそれぞれ構成し、前記第１および第２のカード搬送路のピンチローラを互い違いにそれぞれの駆動側搬送手段の駆動ローラ側に対接させることにより、前記第１のカード搬送路内のカードを前記第２のカード搬送路に切り替えるカード搬送路切替装置であって、前記第２のカード搬送路のピンチローラを駆動ローラに対して前記第２のカード搬送路内のカードの搬送方向においてずらして位置付けたものである。
したがって、第２のカード搬送路のピンチローラが駆動ローラ側に対接し両ローラによってカードが挟持されると、カードは第１のカード搬送路の駆動ローラから離間するように回動して傾く。
また、請求項２に係る発明は、請求項１に係る発明において、前記第１のカード搬送路にカードの幅方向をガイドするガイド部を設けるとともに、前記第２のカード搬送路を前記第１のカード搬送路に対してカードの厚み方向にずらして位置付ける。
したがって、カードはカードの幅方向をガイドされて第１のカード搬送路内を搬送し、切替動作によってカードは厚み方向に移動しガイド部から離間して第２のカード搬送路に導かれる。
また、請求項３に係る発明は、請求項２に係る発明において、前記第１および第２のカード搬送路の少なくともいずれか一方にカードの厚み方向を支持する支持壁を設け、この支持壁に、カードを前記第２のカード搬送路に導くガイド部を設ける。
したがって、支持壁に支持されたカードは切替動作によってガイド部に倒れ込み、ガイド部にガイドされて第２のカード搬送路に導かれる。
【０００６】
【発明の実施の形態】
以下、本発明の実施の形態を図に基づいて説明する。図１（ａ）は本発明に係るカード搬送路切替装置を適用したカード処理装置の搬送ユニットを取り外した状態を示す正面図、同図（ｂ）は同図（ａ）におけるＩ（ｂ）−Ｉ（ｂ）線断面図である。
【０００７】
図２は図１におけるＩＩ−ＩＩ  線断面図であって、同図（ａ）はカードを処理している状態を示し、同図（ｂ）はカード回収に切り替えた状態を示し、同図（ｃ）はカードを回収している状態を示す。図３は同じく搬送ユニットの正面図、図４は同じく搬送切替ユニットを示し、同図（ａ）は正面図、同図（ｂ）は側面図、同図（ｃ）は底面図である。
【０００８】
図５は搬送切替ユニットの要部を示し、同図（ａ）は一部を破断して示す正面図、同図（ｂ）は側面図、図６は図４（ａ）におけるＶＩ矢視図であって、同図（ａ）は中立の状態を示し、同図（ｂ）はカードを処理している状態を示し、同図（ｃ）はカードを排出している状態を示す。図７は同じく切替ブラケットを示し、同図（ａ）は正面図、同図（ｂ）は側面図、同図（ｃ）は底面図、図８は同じく切替レバーの切替え動作を説明する動作図である。
【０００９】
図２において、全体を符号１で示すカード処理装置は、合成樹脂によって略平板状の長方形に形成された基板２と、この基板２の前面側を覆うようにして基板２に取り付けられる搬送ユニット３と、基板２の背面側に取り付けられる搬送切替ユニット４とから概略構成されている。
【００１０】
以下、図１に基づいて基板２について説明する。
基板２の上部の正面側は、その断面が図２に示すように、上方に向かって背面側に傾斜し、上ガイド部９を形成している。基板２の下部には、図中矢印Ａ−Ｂ方向に延在する下部ガイド突起１０が突設され、上端部にはこの下部ガイド突起１０と、非接触ＩＣカード５（以下、単にカード５という）の幅よりもわずかに大きい間隔だけ隔ててこの下部ガイド突起１０と平行な上部ガイド突起１１が突設されている。これら両ガイド突起１０，１１と後述する搬送ユニット３の前面板３０とによって、第１のカード搬送路としてのカード処理通路１２が形成されている。すなわち、このカード処理通路１２は、後述する主搬送ベルト３９と、これと対接する搬送切替用のピンチローラ８７およびピンチローラ２３とによって形成されている。
【００１１】
このカード処理通路１２の前端および下端は開口しており、それぞれカード挿入口兼返却口１３、カード回収口１４が設けられている。このカード回収口１４を挟むようにしてカード回収口１４の上下には、第２のカード搬送路としてのカード回収通路１５が形成されている。すなわち、このカード回収通路１５は、後述する従搬送ベルト４５と、これと対接する搬送切替用のピンチローラ８８およびピンチローラ２６とによって形成され、図２に示すように、このカード回収通路１５はカード処理通路１２に対して、下部ガイド突起１０の突設量だけカード５の厚み方向にずらして位置付けられている。
【００１２】
また、図１において、このカード回収通路１５のカード搬送方向Ｃとカード処理通路１２のカード搬送方向Ａ−Ｂとが直交している。換言すれば、互いにカード搬送方向がカード５の幅方向において直交しており、互いのカード搬送方向が異なっている。カード処理通路１２のカード挿入口兼返却口１３側であって基板２の背面には、ソレノイド１６が取り付けられており、このソレノイド１６の可動板１７には２本のピン１８，１９が立設され、これら２本のピン１８，１９は、ソレノイド１６に通電がなされると、基板２に穿設された貫通孔２０，２１からカード処理通路１２内に進出する。
【００１３】
一方のピン１８はカード処理通路１２のカード挿入口兼返却口１３に近接するように位置付けられ、他方のピン１９は、後述する情報処理基板９９によってカード処理通路１２内に搬送されたカード５に記録された情報を処理可能な範囲Ｌの矢印Ｂ方向の端限に位置付けられている。
【００１４】
基板２の略中央には、逆Ｌ字状の窓２２が穿設され、カード処理通路１２の後端側には、ピンチローラ２３がその周面の一部をカード処理通路１２内に臨むように回転自在に支持されている。２４，２５は第１および第２のセンサであって、第１のセンサ２４は、上述したカード処理可能な範囲Ｌの矢印Ａ方向の端限に位置付けられ、第２のセンサ２５はカード処理通路１２の後端側に位置付けられている。２６はピンチローラであって、基板２のカード回収口１４の直下に位置付けられ、周面の一部が基板２から露呈するようにして基板２に回転自在に支持されている。
【００１５】
次に、図３に基づいて搬送ユニット３について説明する。
搬送ユニット３には、合成樹脂によって略平板状の長方形に形成された前面板３０が備えられており、この前面板３０には略Ｆ字状の窓３１が穿設されている。３２は前面板３の上部右端側に取り付けられたカード搬送用のモータであって、正逆方向に切替え可能で、モータ軸にはウォーム３３が軸着され、このウォーム３３にはウォームホィール３４が噛合している。
【００１６】
３５はこのウォームホィール３４が軸着された軸であって、前面板３０の後部側に上下方向に延在するように回転自在に支持され、この軸３５の下部側には、窓３１に臨む駆動ローラ３７が軸着されている。３８は窓３１に臨むように前面板３０に回転自在に支持された駆動ローラであって、この駆動ローラ３８と前記駆動ローラ３７との間には主搬送ベルト３９が張架されている。
【００１７】
前記駆動ローラ３７の下部には傘歯車４０が一体に形成され、この傘歯車４０には傘歯車４１が噛合しており、この傘歯車４１は、前面板３０の左右方向に延在するように前面板３０に回転自在に支持された軸４２の右端部に軸着されている。軸４２の左端部には、窓３１に臨む駆動ローラ４３が軸着され、この駆動ローラ４３の下方には、窓３１に臨むように駆動ローラ４４が前面板３０に回転自在に支持されており、これら両ローラ４３，４４間には従搬送ベルト４５が張架されている。
【００１８】
上述したように、カード処理通路１２を形成するために、前面板３０を前記基板２の前面側を覆うように取り付けると、駆動ローラ３７が主搬送ベルト３９を介して基板２のピンチローラ２３に対接し、駆動ローラ４４が従搬送ベルト４５を介して基板２のピンチローラ２６に対接する。また、後述するように、搬送切替ユニット４を基板２の背面側に取り付けると、搬送切替ユニット４の搬送切替用のピンチローラ８７，８８が基板２の窓２２に臨み、搬送ユニット３の駆動ローラ３８、駆動ローラ４３のそれぞれに主搬送ベルト３９、従搬送ベルト４５を介して対接する。前記支持板３０の下部側は、図２に示すように下方に向かって前面側に傾斜するように形成され、下ガイド部４６が形成されている。
【００１９】
次に、図４，図５，図６に基づいて搬送切替ユニット４について説明する。
図４において、搬送切替ユニット４には、合成樹脂によって略平板状の長方形に形成された支持板５０が備えられ、この支持板５０の略中央には逆Ｌ字状の窓５１が穿設され、左端部上部には断面がコ字状の支持部５２が一体に形成されている。また、この搬送切替ユニット４は、レバー切替装置５４、切替レバーの押圧構造５５および搬送方向切替構造５６から概略構成されている。
【００２０】
以下、図５に基づいて、レバー切替装置５４について説明する。
同図において、レバー切替装置５４には、支持板５０の支持部５２の上板に固定された搬送路切替用のモータ６０が駆動源として備えられており、この搬送路切替用のモータ６０は正逆方向に切替えが可能であって、モータ軸には支持部５２内に臨むウォーム６１が軸着されている。
【００２１】
６２はこのウォーム６１に噛合するウォームホィールであって、支持部５２の両側部に回転自在に支持された軸に軸着され、側部に円板カム６３が一体に形成されている。この円板カム６３の周面の一部には、断面が略半円状に形成された切欠き６４が設けられている。
【００２２】
６５は切替レバーであって、軸６６を介して支持部５２の両側部間に回動自在に支持され、軸６６を挟んで上下に延設された一対の腕部６７，６８のうち、上方の腕部６７が前記円板カム６３の切欠き６４内に臨んでおり、下方の腕部６８の下端には小突起６８ａが突設されている。
【００２３】
７０は姿勢保持レバーであって、中央に設けた長孔７１に嵌挿された軸７３を介して支持部５２の両側部に回動自在に支持され、上端が小突起６８ａを介して前記切替レバー６５に枢着され、下端部には係合凹部７２が設けられている。
【００２４】
この姿勢保持レバー７０の上部と軸７３との間には引張りコイルばね７４が懸架され、この引張りコイルばね７４の引張力によって、同図（ｂ）に示すように、姿勢保持レバー７０が上下方向に延在するように保持されている。したがって、前記切替レバー６５の上下方向に延在するように保持され、この切替レバー６５の上方の腕部６７が上方に指向するように保持されている。
【００２５】
次に、図４、図６、図７に基づいて、切替レバーの押圧構造５５および搬送路切替構造５６について説明する。
図４および図６において、８０は押圧レバーであって、支持板５０に支承された軸８１を介して揺動自在に支持され、図５（ａ）に示すように、一端８０ａが上述した姿勢保持レバー７０の係合凹部７２内に係入され、図４（ａ）および図６に示すように、他端部の上下には一対のスリット状の係合孔８０ｂ，８０ｃが穿設されている。
【００２６】
図４（ａ）において、８３は支持板５０の窓５１に臨むように設けられた合成樹脂製の被押圧部材としての搬送切替ブラケットであって、図７（ａ）に示すように、略三角形の基部８４と、この基部８４から互いに直交する方向に一体に突設された一対のコ字状のローラ支持部８５，８６とによって全体が正面視逆Ｌ字状に形成されている。
【００２７】
これら一対のローラ支持部８５，８６には、搬送切替用のピンチローラ８７，８８がそれぞれ軸８９，９０を介して回転自在に支持されている。一方の搬送切替用のピンチローラ８７の周面８７ａは平坦状に形成され、他方の搬送切替用のピンチローラ８８の周面８８ａは両側端が面取りされ、全体が円弧状に形成されている。
【００２８】
一方のローラ支持部８５の下部には被作動杆９１が植設され、基部８４には、一方の搬送切替用のピンチローラ８７の軸８９と平行な軸支承孔８４ａが設けられ、この軸支承孔８４ａに挿通され、支持板５１に支承された軸９２を介して、この搬送切替ブラケット８３が揺動自在に支持されている。
【００２９】
この搬送切替ブラケット８３の一対のローラ支持部８５，８６は、基部８４から同一平面Ｇ−Ｇ上に位置付けられるようにして突設され、これらローラ支持部８５，８６には、共に図７（ｃ）中、同一方向である矢印Ｄ方向に指向した開口８５ａ，８６ａが設けられている。
【００３０】
図４（ａ）および図６において、９５はねじりコイルばねであって、前記搬送切替ブラケット８３を揺動自在に支持する軸９２に巻回され、一対の腕９６，９７の先端部が折り曲げ形成され、折曲部９６ａ，９７ａが設けられている。これら折曲部９６ａ，９７ａは、一対の腕９６，９７をねじりコイルばね９５のねじりモーメントに抗して巻き込み、これら一対の腕９６，９７によって搬送切替ブラケット８３の被作動杆９１を挟持するようにして、前記押圧レバー８０の係合孔８０ｂ，８０ｃに係入されている。
【００３１】
したがって、被作動杆９１は腕９６によって図６（ｂ）において、あらかじめ反時計方向のねじりモーメントが加えられているとともに、腕９７に時計方向のねじりモーメントが加えられている。
【００３２】
このような構成の搬送切替ユニット４においては、図４（ａ）中、押圧レバー８０，搬送切替ブラケット８３が支持板５０の背面側に設けられている。したがって、この搬送切替ユニット４を前記基板２の背面側に取り付けることにより、搬送切替用のピンチローラ８７，８８が窓５１からカード処理通路１２内に臨み、前記搬送ユニット３の駆動ローラ３８および駆動ローラ４３に対応している。
【００３３】
本発明の特徴とするところは、図２に示すように、他方の搬送切替用のピンチローラ８８の中心が、従搬送ベルト４５を介してこれと対接する駆動ローラ４３の中心よりもｈだけ低くなるように位置付けられている点にある。図２において、支持板５０の内側には、情報処理基板９９が取り付けられている。
【００３４】
次に、このような構成のカード処理装置におけるカード処理動作を説明する。あらかじめ、図１（ｂ）において、ソレノイド１６には通電が遮断され、２本のピン１８，１９は下降し、カード処理通路１２から退出している。また、図８（ａ）に示すように、切替レバー６５が軸６６を回動中心として時計方向に回動した状態に保持されている。
【００３５】
したがって、姿勢保持レバー７０が軸７３を回動中心として反時計方向に回動された状態となっており、図６（ｂ）に示すように、押圧レバー８０の一端８０ａが下方に押圧されるので、ねじりコイルばね９５の一方の腕９６が押圧レバー８０の他端によって上方に押し上げられている。
【００３６】
このため、ねじりコイルばね９５には図中時計方向のねじりモーメントが発生しているので、他方の腕９７によって被作動杆９１が押し上げられ、搬送切替ブラケット８３が軸９２を回動中心として時計方向に回動し、一方の搬送切替用のピンチローラ８７が主搬送ベルト３９を介して駆動ローラ３８に圧接されている。
【００３７】
このとき、押圧レバー８０が中立状態である同図（ａ）において、被作動杆９１には他方の腕９７によってあらかじめ図中時計方向のねじりモーメントが加えられているので、押圧レバー８０のわずかな回動によっても、搬送切替用のピンチローラ８７による駆動ローラ３８に対する充分な圧接力が得られる。
【００３８】
図８（ａ）に示すように、姿勢保持レバー７０が軸７３を回動中心として反時計方向に回動した状態のときには、図５（ａ）に示す引張りコイルばね７４によって、姿勢保持レバー７０が軸７３を回動中心として時計方向に付勢されている。したがって、切替レバー６５が軸６６を回動中心として反時計方向に付勢されているので、上方の腕部６７が円板カム６３の周面に圧接されている。
【００３９】
このような状態において、図１に示すように、カード５がカード挿入口兼返却口１３から挿入されると、図示を省略したセンサによってこれが検出されるので、図３におけるカード搬送用のモータ３２が正方向に回転駆動される。
【００４０】
ウォーム３３，ウォームホィール３４，軸３５を介して駆動ローラ３７が正方向に回転するので、主搬送ベルト３９が矢印Ａ方向に走行し、駆動ローラ３８も正方向に回転する。また、傘歯車４０，４１および軸４２を介して駆動ローラ４３が正方向に回転するので、従搬送ベルト４５が矢印Ｃ方向に走行し、駆動ローラ４４が正方向に回転する。
【００４１】
したがって、図１（ａ）中、カード５の先端が一方の搬送切替用のピンチローラ８７までに挿入されると、上述したように、この搬送切替用のピンチローラ８７が、図２（ａ）に示すように主搬送ベルト３９を介して駆動ローラ３８に圧接されているので、カード５は両ローラ８７，３８に挟持されるようにして矢印Ａ方向に搬送される。
【００４２】
図１（ａ）において、カード５の先端が第１のセンサ２４によって検出されると、ソレノイド１６に通電がなされ、同図（ｂ）に示すように、２本のピン１８，１９がカード処理通路１２内に進出する。
【００４３】
さらに、カード５が矢印Ａ方向に搬送され、先端が第２のセンサ２５によって検出されると、カード搬送用のモータ３２が逆方向に駆動されるので、図３における両駆動ローラ３７，３８が逆方向に回転し、カード５が矢印Ｂ方向に搬送される。このようにカード５がカード処理通路１２内を矢印Ａ−Ｂ方向に搬送されるとき、カード５が上下のガイド突起１１，１０によってガイドされることにより、カード５が蛇行することなく、円滑にかつ安定して搬送されるので、カード詰まりの発生を防止することができるだけではなく、後述するカードの処理不良も防止できる。
【００４４】
カード５の先端が第１のセンサ２４を通過すると、カード搬送用のモータ３２の駆動が停止され、カード５の搬送も停止され、図２に示す情報処理基板９９によって、カード５に記録されている情報の処理が行われる。
【００４５】
このとき、カード５が慣性によって矢印Ｂ方向にわずかに移動したとしても、ピン１９によってカード５が係止されるので、カード５は情報処理基板９９による処理可能範囲Ｌ内に位置付けられるので、カード５は確実に処理される。
【００４６】
また、情報処理基板９９によってカード５が処理されている間に、図１において２枚目のカードをカード挿入口兼返却口１３から挿入されたとしても、ピン１８によってカード処理通路１２内に挿入されるのが規制されるので、情報処理基板９９による処理に支障をきたすことがない。
【００４７】
情報処理基板９９による処理が終了したら、ソレノイド１６への通電が遮断され、同時にカード搬送用のモータ３２が逆方向に駆動される。したがって、ソレノイド１６の２本のピン１８，１９がカード処理通路１２から退出し、カード５は搬送切替用のピンチローラ８７と駆動ローラ３８とによって矢印Ｂ方向に搬送され、カード挿入口兼返却口１３から利用者に返却される。
【００４８】
次に、カードを回収する回収動作を説明する。
情報処理基板９９によって処理されたカード５が使用済みカードと判定された場合には、図５において、搬送路切替用のモータ６０が正方向に駆動され、円板カム６３がウォーム６１およびウォームホィール６２を介して、図８（ａ）中時計方向に回転する。
【００４９】
円板カム６３がさらに回転し、同図（ｃ）に示すように、切欠き６４が切替レバー６５の上方の腕部６７に位置付けられると、引張りコイルばね７４によって切替レバー６５が軸６６を回動中心として反時計方向に付勢されているので、腕部６７が切欠き６４内に係入する。
【００５０】
同図（ｄ）において、切替レバー６５は中立位置に保持され、さらに、円板カム６３が回転すると、同図（ｅ）に示すように、腕部６７が切欠き６４の開口端に係合し、引張りコイルばね７４の引張力に抗して、切替レバー６５が軸６６を回動中心として反時計方向に回動し始める。
【００５１】
さらに、円板カム６３が回転すると、同図（ｆ）に示すように、腕部６７が切欠き６４から円板カム６３の周面に乗り上げ、切替レバー６５が反時計方向に回動して切り替わるので、姿勢保持レバー７０が軸７３を回動中心として時計方向に回動する。
【００５２】
この姿勢保持レバー７０の時計方向への回動によって、図６（ｃ）に示すように、押圧レバー８０の一端８０ａが上方に押し上げられるので、押圧レバー８０が軸８１を回動中心として図中時計方向に回動し、ねじりコイルばね９５の他方の腕９７が押圧レバー８０の他端によって押し下げられる。
【００５３】
このため、ねじりコイルばね９５に図中反時計方向のねじりモーメントが発生するので、一方の腕９６によって被作動杆９１が押し下げられ、搬送切替ブラケット８３が軸９２を回動中心として反時計方向に回動する。
【００５４】
したがって、図２（ｂ）に示すように、一方の搬送切替用のピンチローラ８７が矢印Ｄ方向に移動して駆動ローラ３８から離間するとともに、他方の搬送切替用のピンチローラ８８が矢印Ｅ方向に移動して従搬送ベルト４５を介して駆動ローラ４３に対接する。
【００５５】
このとき、搬送切替用のピンチローラ８８の中心が駆動ローラ４３の中心からｈだけ下方に位置付けられていることにより、図２（ｂ）に示すように、搬送切替用のピンチローラ８８が駆動ローラ４３にカード５を挟むようにして対接されると、両ローラ８８，４３の中心軸間を結んだ線が水平線から角度αだけ傾斜する。このため、両ローラ８８，４３に挟持されたカード５は、図中反時計方向に角度αだけ回動するようにして傾いた状態になる。
【００５６】
したがって、カード５の上部の表面がカード処理通路１２の主搬送ベルト３９から離間するとともに、基板２の下部ガイド突起１０上に支承されていたカード５の下端は、確実に下部ガイド突起１０から離間する。このため、この後、カード５をカード回収口１４からカード回収通路１５内を下方に搬送される際に、下部ガイド突起１０にカード詰まりを起こすことなく円滑に回収することができる。
【００５７】
カード５が使用済みカードと判定されると、同時にカード搬送用のモータ３２が正方向に駆動されるので、図３中、ウォーム３３、ウォームホィール３４、軸３５、傘歯車４０，４１および軸４２を介して駆動ローラ４３が正方向に回転し、従搬送ベルト４５を介して駆動ローラ４４が正方向に回転する。
【００５８】
したがって、図２（ｃ）に示すように、従搬送ベルト４５を介して駆動ローラ４３と搬送切替用のピンチローラ８８とによって挟持されたカード５は下方に搬送される。下方に搬送されたカード５は、従搬送ベルト４５を介して駆動ローラ４４とピンチローラ２６とによってカード５が挟持され、カード回収口１４から管理者に回収される。
【００５９】
このとき、図１（ａ）において、ソレノイド１６のピン１９がカード処理通路１２の高さ方向の中央よりもＨだけ高く位置付けられていることにより、矢印Ｂ方向にわずかに移動しピン１９に係止されたカード５が、図中反時計方向にわずかに回動し二点鎖線で示すように傾く。
【００６０】
この状態で、カード５をカード回収通路１５内を下方に搬送させると、ピン１９とカード５の後端とが徐々に離間するように移動するので、カード５とピン１９との間に摩擦が発生するようなことがなく、このためカード詰まりがなくカード５が円滑に回収される。
【００６１】
第２のカード回収口１５をカード５が通過したことを図示を省略したセンサによって検出されると、カード搬送用のモータ３２の駆動が停止され、ソレノイド１６への通電が遮断される。したがって、駆動ローラ３７，３８，４３，４４の回転が停止するとともに、ソレノイド１６の２本のピン１８，１９が下降し、カード処理通路１２から退出する。
【００６２】
同時に、搬送切替用のモータ６０が逆方向に駆動され、図８（ｆ）に示す状態から同図（ｂ）に示すように、円板カム６３が反時計方向に回転するので、切替レバー６５が切り替わる。
【００６３】
したがって、図２（ｂ）の状態から同図（ａ）の状態のように、一方の搬送切替用のピンチローラ８７が主搬送ベルト３９を介して駆動ローラ３８に対接されるとともに、他方の搬送切替用のピンチローラ８８が従搬送ベルト４５の駆動ローラ４３から離間する。
【００６４】
なお、本実施の形態においては、カード処理通路１２とカード回収通路１５とを直交させたが、これに限定されず、両通路１２，１５の方向が異なればよく、要は互いの通路１２，１５が平行とならないようにすればよい。また、カード５を、その幅方向を上下とするように搬送したが、厚み方向を上下とするように搬送してもよい。
【００６５】
また、基板２側に下部ガイド突起１０を設け、この下部ガイド突起１０からカード５をカード排出口１５に導くために、ピンチローラ８８を駆動ローラ４３よりも低く位置付けたが、下部ガイド突起１０を搬送ユニット３の前面板３０側に設けてもよく、その場合には、ピンチローラ８８を駆動ローラ４３よりも高く位置付ければよい。
【００６６】
また、カード処理通路１２内においてカード５が上下方向に揺動しないように搬送を安定させるために、カード処理通路１２に下部ガイド突起１０を設けたが、この下部ガイド突起１０を設けずに、ピンチローラ８７と駆動ローラ３８との挟持のみによってカード処理通路１２内を搬送させるようにしてもよい。
【００６７】
また、カード回収通路１５ａ内を搬送されるカード５は、従搬送ベルト４５に対接されているが、従搬送ベルト４５を取り除き、駆動ローラ４３に直接対接させてもよく、その場合には、カード５が下ガイド部４６にガイドされるので、従搬送ベルト４５がなくても円滑にカード回収口１５から回収される。
【００６８】
【発明の効果】
以上説明したように、請求項１に係る発明によれば、カード詰まりがなく円滑にカードの切替えが行われ、切替不良が防止される。
【００６９】
また、請求項２に係る発明によれば、第１のカード搬送路内におけるカード詰まりが防止されるだけではなく、切替不良も防止できる。
【００７０】
また、請求項３に係る発明によれば、第２のカード搬送路へカードが円滑に導かれる。
【図面の簡単な説明】
【図１】同図（ａ）は本発明に係るカード搬送路切替装置を適用したカード処理装置の搬送ユニットを取り外した状態を示す正面図、同図（ｂ）は同図（ａ）におけるＩ（ｂ）−Ｉ（ｂ）線断面図である。
【図２】図１におけるＩＩ−ＩＩ  線断面図であって、同図（ａ）はカードを処理している状態を示し、同図（ｂ）はカード排出に切り替えた状態を示し、同図（ｃ）はカードを排出している状態を示す。
【図３】本発明に係るカード搬送路切替装置を適用したカード処理装置における搬送ユニットの正面図である。
【図４】本発明に係るカード搬送路切替装置を適用したカード処理装置における搬送切替ユニットを示し、同図（ａ）は一部を破断して示す正面図、同図（ｂ）は側面図、同図（ｃ）は底面図である。
【図５】本発明に係るカード搬送路切替装置を適用したカード処理装置における搬送切替ユニットの要部を示し、同図（ａ）は正面図、同図（ｂ）は側面図である。
【図６】図４（ａ）におけるＶＩ矢視図であって、同図（ａ）は中立の状態を示し、同図（ｂ）はカードを処理している状態を示し、同図（ｃ）はカードを排出している状態を示す。
【図７】本発明に係るカード搬送路切替装置を適用したカード処理装置における切替ブラケットを示し、同図（ａ）は正面図、同図（ｂ）は側面図、同図（ｃ）は底面図である。
【図８】本発明に係るカード搬送路切替装置を適用したカード処理装置における切替レバーの切替え動作を説明する動作図である。
【符号の説明】
１…カード処理装置、５…非接触型ＩＣカード、９…上ガイド部、１０…下部ガイド突起、１２…カード処理通路、１５…カード回収通路、３８，４３…駆動ローラ、３９…主搬送ベルト、４５…従搬送ベルト、４６…下ガイド部、５６…搬送方向切替構造、８３…搬送切替ブラケット、８７，８８…搬送切替用のピンチローラ。
【図１】
0003620361.tif 000002
【図２】
0003620361.tif 000003
【図３】
0003620361.tif 000004
【図４】
0003620361.tif 000005
【図５】
0003620361.tif 000006
【図６】
0003620361.tif 000007
【図７】
0003620361.tif 000008
【図８】
0003620361.tif 000009